(57)【要約】【課題】甲ベルトの色・素材等及び中底・本底の色を付け替え可能な履物を実現する。【解決手段】サンダル１００の本底１は上面１ＵＳに結合された第１面ファスナーを有し、中底２は下面２ＬＳに結合された第２面ファスナー５を有する。甲ベルト３は、表面３ＳＳの内で左端側部分及び右端側部分に結合された第３及び第４面ファスナーを有し、裏面３ＲＳの内で上記左端側部分及び右端側部分の対応部分に結合された第５及び第６面ファスナーを有する。甲ベルト裏面３ＲＳは、第５及び第２面ファスナー５間の結合、第６及び第２面ファスナー５間の結合により、中底下面２ＬＳに着脱自在に結合している。甲ベルト表面３ＳＳ及び中底下面２ＬＳは、共に、第３面ファスナーと第１面ファスナーとの結合、第４面ファスナーと第１面ファスナーとの結合、及び、第２面ファスナー５と第１面ファスナーとの結合を通じて、本底上面１ＵＳ上に着脱自在に取付けられている。【選択図】図１
2019076417.tif 000002
【特許請求の範囲】
【請求項１】
地面接触面である底面に対向する上面に結合された第１面ファスナーを有する本底と、
前記本底の前記上面に対応する下面に結合された第２面ファスナーを有する中底と、
表面及び前記表面に対向する裏面を備え、前記表面の内で上面視に於いて短手方向に延在する左端側部分及び右端側部分のそれぞれに結合された第３面ファスナー及び第４面ファスナーを有すると共に、前記裏面の内で前記表面の前記左端側部分及び前記右端側部分のそれぞれに対応する部分に結合された第５面ファスナー及び第６面ファスナーを有する甲ベルトと
を備えており、
前記甲ベルトの前記裏面は、前記第５面ファスナーと前記第２面ファスナーとの結合及び前記第６面ファスナーと前記第２面ファスナーとの結合を通じて、前記中底の前記下面に着脱自在に結合しており、且つ、
前記甲ベルトの前記表面及び前記中底の前記下面は、共に、前記第３面ファスナーと前記第１面ファスナーとの結合、前記第４面ファスナーと前記第１面ファスナーとの結合、及び、前記第２面ファスナーと前記第１面ファスナーとの結合を通じて、前記本底の前記上面上に着脱自在に取付けられている
ことを特徴とする、履物。
【請求項２】
請求項１に記載の前記履物の前記本底、前記中底及び前記甲ベルトの内の一つに該当する
ことを特徴とする、履物用部品。
【請求項３】
本底、中底、及び、前記本底と中底間に配設される甲ベルトの全てが個別の履物用部品に分離可能となる様に、前記本底、前記中底、及び、前記甲ベルトは面ファスナーを介して着脱自在に一体化されている
ことを特徴とする、履物。
【発明の詳細な説明】
【技術分野】
【０００１】
本発明は、サンダル等の履物に関する。
【背景技術】
【０００２】
種々の目的を達成するために、面ファスナーを利用したサンダル等の履物が提案されている（例えば、特許文献１乃至７を参照）。
【先行技術文献】
【特許文献】
【０００３】
【特許文献１】特開２００１−１９７９０３号公報（００２０段落、図２）
【特許文献２】特開２００３−７９４０５号公報
【特許文献３】特開２００４−３２９５４８号公報
【特許文献４】特開２００４−３０５７０３号公報
【特許文献５】特開２０００−２４５５０２号公報
【特許文献６】特開平１１−２９９５０１号公報
【特許文献７】特開平１０−０７５８０１号公報
【発明の概要】
【発明が解決しようとする課題】
【０００４】
サンダルに於いて、甲部のベルト乃至はバンド（以下「甲ベルト」という。）の色、素材及びデザイン等（甲ベルトの構成要素）をその時々の気分に応じて色々と変更することが出来れば、その様な変化を楽しみながら、サンダルを履くことが出来る。
【０００５】
更に、サンダルの中底及び本底についても、その色を変更することが可能であれば、より一層にサンダルを履くことの楽しみが増大する。
【０００６】
この様な履物用部品の付け替えの楽しさは、サンダルのみならず、甲ベルトを有する履物全般について要望されるところである。例えば、下駄に於いて、鼻緒（甲ベルトに該当。）の色・素材等を時々に於いて変更可能であれば、下駄を履く楽しみも増える。
【０００７】
この発明は上記の要望ないしは問題点に鑑みて成されたものであり、その主目的は、甲ベルト等の履物用部品を色違い等の別のタイプの対応する履物用部品に自在に付け替えることが可能な履物を提供可能とすることにある。
【課題を解決するための手段】
【０００８】
本発明の主題に係る履物は、地面接触面である底面に対向する上面に結合された第１面ファスナーを有する本底と、前記本底の前記上面に対応する下面に結合された第２面ファスナーを有する中底と、表面及び前記表面に対向する裏面を備え、前記表面の内で上面視に於いて短手方向に延在する左端側部分及び右端側部分のそれぞれに結合された第３面ファスナー及び第４面ファスナーを有すると共に、前記裏面の内で前記表面の前記左端側部分及び前記右端側部分のそれぞれに対応する部分に結合された第５面ファスナー及び第６面ファスナーを有する甲ベルトとを備えており、前記甲ベルトの前記裏面は、前記第５面ファスナーと前記第２面ファスナーとの結合及び前記第６面ファスナーと前記第２面ファスナーとの結合を通じて、前記中底の前記下面に着脱自在に結合しており、且つ、前記甲ベルトの前記表面及び前記中底の前記下面は、共に、前記第３面ファスナーと前記第１面ファスナーとの結合、前記第４面ファスナーと前記第１面ファスナーとの結合、及び、前記第２面ファスナーと前記第１面ファスナーとの結合を通じて、前記本底の前記上面上に着脱自在に取付けられていることを特徴とする。
【発明の効果】
【０００９】
本発明の主題に係る履物によれば、当該履物に取付けられている甲ベルトを色・素材等の異なる別の甲ベルトに自在に付け替えることが出来ると共に、当該履物の中底又は／及び本底についても色の異なる中底又は／及び本底に付け替えることが出来る。
【００１０】
以下、本発明の様々な具体化を、添付図面を基に、その効果・利点と共に、詳述する。
【図面の簡単な説明】
【００１１】
【図１】本発明の実施の形態１に係るサンダルの構成を模式的に示す側面図である。
【図２】図１に示される矢印方向から眺めた際のサンダルの構成を模式的に示す平面図である。
【図３】図１のサンダル用の本底の上面側の構成を模式的に示す平面図である。
【図４】図１のサンダル用の中底の下面側の構成を模式的に示す平面図である。
【図５】図１のサンダル用の甲ベルトの表面側及び裏面側の構成を模式的に示す平面図である。
【図６】中底の下面上に面ファスナーを介して甲ベルトの裏面が結合された状態を模式的に示す平面図である。
【発明を実施するための形態】
【００１２】
（実施の形態１）
【００１３】
本実施の形態に於いては、「履物」の一例として、「サンダル（サンダル靴）」について記載する。勿論、本発明は、甲ベルトを備える、その他の履物にも、適用可能である。
【００１４】
＜サンダル及びその部品の構成＞
図１は、本実施の形態に係るサンダル１００の構成を模式的に示す側面図である。又、図２は、図１に示される矢印方向ＡＲから眺めた際のサンダル１００の構成を模式的に示す平面図である。図１に示される通り、サンダル１００は、大要、サンダル１００の「靴底」を成す本底１及び中底２、並びに、「サンダルバンド」を成す甲ベルト３より構成される。このサンダル１００の特徴的構成は、本底１、中底２、及び、本底１と中底２間に結合・配設される甲ベルト３の全てが個別の履物用部品に容易に分離可能となる様に、本底１、中底２、及び、甲ベルト３の各履物用部品が、面ファスナーを介して各部品を結合させることで、着脱自在に一体化されてサンダル１００を成す点にある。尚、図１及び図２に示される本底１及び中底２の各々の形状は一例であって、本底１及び中底２自体の全体的な形状は共に任意であって、問われない。以下、サンダル１００を構成する各履物用部品の特徴部分を記載しつつ、全体としての上記のサンダル１００の特徴的構成を詳細する。
【００１５】
先ず、図３は、図１の本底１の上面１ＵＳ側の構成を模式的に示す平面図である。本底１の上面１ＵＳは、地面接触面である本底１の底面１ＢＳに対向する平面である。そして、本底１の上面１ＵＳは、靴底が通常有する構成として、その周囲が全体的に外縁部１Ｅで囲まれて成る、所定の深さを有する凹部１ＲＰの「底面」に該当している。ここで、上記の外縁部１Ｅは、本底１の最上部１ＵＰにより凸状に形成される枠部ないしは縁部である。この本底１は、接着等の結合手段によって上面１ＵＳ上に全面的に結合された第１面ファスナー４を有する。図３に於いては、図示の明確化の観点から、第１面ファスナー４はハッチングで以って表示されている。この第１面ファスナー４は、フック状に起毛された「フック面」と、ループ状に密集して起毛された「ループ面」とを押し付けるだけで互いに貼り付き且つ引っ張るだけで互いに離合する物理的性質を備えたファスナーである。換言すれば、第１面ファスナー４は、面的に自在に着脱可能なファスナーである。尚、以下に於いて後述する第２面ファスナー乃至第６面ファスナーの各々もまた、同様な物理的性質を備えた「面ファスナー」より成る。
【００１６】
他方、図４は、図１の中底２の下面２ＬＳ側の構成を模式的に示す平面図である。この下面２ＬＳは、図１及び図２に示すサンダル１００が構成されたときには、本底１の上面１ＵＳに対応する平面に該当する。図４に示される通り、中底２は、接着等の結合手段によって下面２ＬＳ上にほぼ全面的に結合された第２面ファスナー５を有する。図４に於いても、図示の明確化の観点から、第２面ファスナー５はハッチングで以って表示されている。尚、中底２の上面２ＵＳ上には、面ファスナーは一切結合されてはいない。
【００１７】
次に、図５（ａ）は、図１の甲ベルト３を単品として平面状に展開した際に於ける、甲ベルト３の表面３ＳＳ側の構成を模式的に示す平面図であり、図５（ｂ）は、甲ベルト３の裏面３ＲＳ側の構成を模式的に示す平面図である。図５（ａ）及び図５（ｂ）に於いて、符号Ｄ１及び符号Ｄ２は、各々、甲ベルト３を単品として平面状に展開した際に於ける甲ベルト３の長手方向及び短手方向である。尚、甲ベルト３は、上記の通り、表面３ＳＳ及び表面３ＳＳに対向する裏面３ＲＳを有する。
【００１８】
図５（ａ）に示される通り、甲ベルト３は、その表面３ＳＳの内で、上面視に於いて短手方向Ｄ２に延在する左端３ＥＬ及び右端３ＥＲのそれぞれに近傍した左端側部分３ＥＬＳ上及び右端側部分３ＥＲＳ上に、縫合手段或いは接着手段等により結合された第３面ファスナー６及び第４面ファスナー７を、有する。従って、本実施の形態の一例では、左端側部分３ＥＬＳと右端側部分３ＥＲＳとで挟まれた表面３ＳＳの部分上には、面ファスナーは一切存在しない。
【００１９】
同様に、図５（ｂ）に示される通り、甲ベルト３は、その裏面３ＲＳの内で、表面３ＳＳの左端側部分３ＥＬＳに対応乃至は対向する裏面部分３ＥＬＲ上及び右端側部分３ＥＲＳに対応乃至は対向する裏面部分３ＥＲＲ上のそれぞれに、縫合手段或いは接着手段等により結合された第５面ファスナー８及び第６面ファスナー９を、有する。同様に、本実施の形態の一例では、左端側の裏面部分３ＥＬＲと右端側の裏面部分３ＥＲＲとで挟まれた裏面３ＲＳの部分上には、面ファスナーは一切存在しない。
【００２０】
尚、図５（ａ）及び図５（ｂ）に於いても、図示の明確上、各面ファスナー６，７，８，９は、ハッチングで以って表示されている。又、図５（ａ）及び図５（ｂ）に示される甲ベルト３の形状は一例であって、甲ベルト３自体の全体的な形状は任意であって、問われない。
【００２１】
次に、上述の各履物用部品（本底１，中底２，甲ベルト３）の組み合わせ・結合によって、図１及び図２のサンダル１００を構成する場合について順序を追って記載する。
【００２２】
ここで、図６は、第５及び第６面ファスナー８，９の各々と第２面ファスナー５との結合を介して、中底２の下面２ＬＳ上に、甲ベルト３の裏面３ＳＳがその左右端側に於いて部分的に結合された状態を、模式的に示す図である。即ち、図６は、下面２ＬＳの下方から中底２を眺めた際の、甲ベルト３が中底２に取付けられた状態の中底２の構成を示す平面図である。図６に示される通り、先ず、甲ベルト３の裏面部分３ＥＬＲ上に結合されている第５面ファスナー８の全体を、中底２の下面２ＬＳ上の第２面ファスナー５の内の対応する所定部分に押し付けて、第５面ファスナー８を第２面ファスナー５に全面的に貼り付ける。引き続いて、甲ベルト３の裏面部分３ＥＲＲ上に結合されている第６面ファスナー９の全体を、中底２の下面２ＬＳ上の第２面ファスナー５の内の対応する所定部分に押し付けて、第６面ファスナー９を第２面ファスナー５に全面的に貼り付ける。これにより、その左右端側部分の各々が第２面ファスナー５に取付けられた甲ベルト３を備えた中底２が、実現される。尚、第５面ファスナー８及び第６面ファスナー９の貼り付け順序は、上記順序とは逆であっても良い。
【００２３】
その上で、図６に示される状態にある中底２の下面２ＬＳ上の第２面ファスナー５を、本底１の外縁部１Ｅに沿いつつ、上面１ＵＳ上の第１面ファスナー４に全面的に押し付けることで、両面ファスナー４，５を互いに貼り合せる。斯かる貼り合せにより、甲ベルト３の第３面ファスナー６及び第４面ファスナー７の各々もまた、第１面ファスナー４の対応する部分に貼り合わされて結合される。その結果、甲ベルト３の左右端側部分の各々は、本底１の上面１ＵＳ及び中底２の下面２ＬＳによってサンドイッチされた状態で、本底１と中底２間に配設される。これにより、図１及び図２のサンダル１００が形成される。
【００２４】
逆に、完成されたサンダル１００から、対応する面ファスナーを有する各履物用部品（本底１，中底２，甲ベルト３）を取り出すには、上述の組立て手順とは逆の手順で以って上記各履物用部品（本底１，中底２，甲ベルト３）を順次に分離していけば良い。
【００２５】
以上の通り、図１及び図２に例示されるサンダル１００に於いては、甲ベルト３の裏面３ＲＳは、１）第５面ファスナー８と第２面ファスナー２との結合及び２）第６面ファスナー９と第２面ファスナー５との結合を通じて、中底２の下面２ＬＳに着脱自在に結合している。そして、甲ベルト３の表面３ＳＳ及び中底２の下面２ＬＳは、共に、３）第３面ファスナー６と第１面ファスナー４との結合、４）第４面ファスナー７と第１面ファスナー４との結合、及び、５）第２面ファスナー５と第１面ファスナー４との結合を通じて、本底１の上面１ＵＳ上に、着脱自在に取付けられている。
【００２６】
例えば、第１面ファスナー４が「フック面」を有する場合には、第２面ファスナー５は「ループ面」を有し、第３面ファスナー６及び第４面ファスナー７も共に「ループ面」を有する一方、第５面ファスナー８及び第６面ファスナー９は何れも「フック面」を有する。逆に、第１面ファスナー４が「ループ面」を有する場合には、第２面ファスナー５、第３面ファスナー６及び第４面ファスナー７の何れもが「フック面」を有することとなる一方、第５面ファスナー８及び第６面ファスナー９は何れも「ループ面」を有することとなる。
【００２７】
＜サンダルの利点；各構成部品の取り換え自在性＞
【００２８】
既述のサンダル１００を履くユーザーにとっての技術上の利点（作用・効果）は、何時でも自在に且つ気軽に、サンダル１００の上記各履物用部品（本底１，中底２，甲ベルト３）を、その時点に於ける自分の感性に適合する、お気に入りの対応履物用部品に交換乃至は取り換えてしまうことが出来る点である。即ち、互いに貼り付き合って全体としてのサンダル１００を形成している各面ファスナー（４，５，６，７，８，９）同士を剥がし取って分離することで、サンダル１００を成す上記各履物用部品（本底１，中底２，甲ベルト３）は一つ一つ別個の単品の履物用部品に分離される。これにより、当該ユーザーは、単品に分離した履物用部品を、自己が欲する色等の異なる別の履物用部品に取り換える乃至は付け替えることが出来る。置き換えた当該履物用部品を用いてサンダル１００を再構成する手順は、既述した通りであって、容易な手順である。その利点を図１乃至図６に基づき具体的に記載すれば、次の通りとなる。
【００２９】
ｉ）本底１の付け替え（色の変更）
ユーザーは、サンダル１００の本底１と中底２を手で持って互いに反対側に引っ張ることで、貼り付き合っている第１面ファスナー４及び第２面ファスナー５同士を剥がし取って分離する。この作業により、第１面ファスナー４を上面１ＵＳ上に有する本底１は、個別の単品の履物用部品となる。そこで、ユーザーは、この分離した本底１に替えて、当該本底１とは別の色を有し且つ上面１ＵＳ上に第１面ファスナー４を同様に有する別個の本底を、新たな本底として採用して、当該新たな本底の第１面ファスナー４と分離された中底２の第２面ファスナー５同士を改めて貼り付け合わせる。これにより、ユーザーは、従前の本底とは別の色を有する新たな本底１を有するサンダル１００を容易に実現して、お気に入りのサンダル１００を楽しく履くことが可能となる。
【００３０】
ｉｉ）甲ベルト３の付け替え（色・素材・デザイン等の変更）
【００３１】
先ず、上述の通り、ユーザーは、サンダル１００の本底１と中底２を手で持って互いに反対側に引っ張ることで、貼り付き合っている第１面ファスナー４及び第２面ファスナー５同士を剥がし取って分離する。この作業により、貼り付き合っていた本底１と、甲ベルト３を伴う中底２とは、互いに別個の履物用部品に分離される。更に、ユーザーは、甲ベルト３の左右両端側部分に於いて互いに貼り付き合っている、第２面ファスナー５及び第５面ファスナー８同士並びに第２面ファスナー５及び第６面ファスナー９同士を剥がし取って分離する。この分離作業により、第２面ファスナー５を下面２ＬＳ上に有する中底２と、第３面ファスナー６乃至第６面ファスナー９を有する甲ベルト３とは、共に、個別の履物用部品となる。そこで、ユーザーは、この分離後の甲ベルト３に替えて、当該甲ベルト３とは色・素材・デザイン等の構成要素が異なる、第３面ファスナー６乃至第６面ファスナー９を同様に有する別個の甲ベルトを、これから使用する新たな甲ベルトとして採用して、当該新たな甲ベルトの第５面ファスナー８及び第６面ファスナー９の各々と分離後の中底２の第２面ファスナー５同士を改めて貼り付け合わせる。その後のサンダル１００を構成するための作業過程は既述の通りである。これにより、ユーザーは、従前の甲ベルトとは別の構成要素（色・素材等）を有する新たな甲ベルト３を有するサンダル１００を容易に実現して、お気に入りの甲ベルト３を有するサンダル１００を楽しく履くことが可能となる。
【００３２】
ｉｉｉ）中底２の付け替え（色の変更）
【００３３】
中底２と甲ベルト３同士の分離作業までの過程は、上記ｉｉ）甲ベルト３の付け替えに於いて記載した通りである。上記分離後、ユーザーは、分離された中底２に替えて、当該中底２とは別の色を有し且つ下面２ＬＳ上に第２面ファスナー５を同様に有する別個の本底を、新たな本底として採用して、当該新たな本底の第２面ファスナー５と、分離された甲ベルト３の第５面ファスナー８及び第６面ファスナー９の各々とを改めて貼り付け合わせる。その後のサンダル１００を構成するための作業過程は既述の通りである。これにより、ユーザーは、従前の中底とは別の色を有する新たな中底２を有するサンダル１００を容易に実現して、お気に入りのサンダル１００を楽しく履くことが可能となる。
【００３４】
以上より、上記の作業ｉ）、ｉｉ）及びｉｉｉ）の組み合わせによって、ユーザーは、幾通りもの、サンダル１００を構成する履物用部品の付け替えによる変化を実現してサンダル履きの楽しさを味わうことが出来る。
【００３５】
（変形例）
（１）実施の形態１では、甲ベルト３は１個であったが、甲ベルトの個数は任意である。例えば、Ｘ型に互いに交差する又は互いに併設する２個の甲ベルトを採用し、各甲ベルトの構成を実施の形態１の甲ベルト３と同一としても良い。本発明に於ける「甲ベルト」は、足のつま先側のサンダルバンドのみならば、踵側のサンダルバンドにも本発明を適用可能な概念を含む用語である。更には、下駄の鼻緒を種々のタイプの物に変更したい場合にも本発明を適用可能であって、ここでいう「鼻緒」は本発明では上記の「甲ベルト」の概念中に含まれる。
【００３６】
（２）実施の形態１では、図３に示される通り、第１面ファスナー４は、本底１の上面１ＵＳ上に全面的に結合・配設されていた。しかしながら、本発明は、斯かる第１面ファスナーの構成に限定されるものではなく、例えば、甲ベルト３の第３面ファスナー６及び第４面ファスナー７を第１面ファスナー４に貼り付け可能となる範囲で、第１面ファスナー４は、本底１の上面１ＵＳの一部分上に、部分的に結合・配設されていても良い。その場合には、第１面ファスナー４の配設位置・寸法・形状等に対応する様に、第２面ファスナー５もまた、中底２の下面２ＬＳ上に、部分的に結合・配設されることとなる。
【００３７】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３８】
本発明は、例えば、サンダル等の、甲ベルトを有する履物に適用して好適である。
【符号の説明】
【００３９】
１００  サンダル
１  本底（靴底）
１ＵＳ  本底上面
２  中底（靴底）
２ＬＳ  中底下面
３  甲ベルト（サンダルバンド）
３ＳＳ  甲ベルト表面
３ＲＳ  甲ベルト裏面
４  第１面ファスナー
５  第２面ファスナー
６  第３面ファスナー
７  第４面ファスナー
８  第５面ファスナー
９  第６面ファスナー
Ｄ１  長手方向
Ｄ２  短手方向
【図１】
2019076417.tif 000003
【図２】
2019076417.tif 000004
【図３】
2019076417.tif 000005
【図４】
2019076417.tif 000006
【図５】
2019076417.tif 000007
【図６】
2019076417.tif 000008
【手続補正書】
【提出日】平成30年3月13日(2018.3.13)
【手続補正１】
【補正対象書類名】明細書
【補正対象項目名】０００８
【補正方法】変更
【補正の内容】
【０００８】
本発明の主題に係る履物は、地面接触面である底面に対向する上面上に結合された第１面ファスナーを有する本底と、前記本底の前記上面に対応する下面上に結合された第２面ファスナーを有する中底と、アッパーとを備えており、前記アッパーは、表面及び前記表面に対向する裏面を備え、前記表面の内で上面視に於いて短手方向に延在する左端側部分及び右端側部分のそれぞれの表面部分に直接的に結合された第３面ファスナー及び第４面ファスナーを有すると共に、前記裏面の内で前記表面の前記左端側部分及び前記右端側部分のそれぞれに対応する部分の裏面部分に直接的に結合された第５面ファスナー及び第６面ファスナーを有する甲ベルトを有しており、前記甲ベルトの前記裏面は、前記第５面ファスナーと前記第２面ファスナーとの結合及び前記第６面ファスナーと前記第２面ファスナーとの結合を通じて、前記中底の前記下面に着脱自在に直接的に結合しており、且つ、前記甲ベルトの前記表面及び前記中底の前記下面は、共に、前記第３面ファスナーと前記第１面ファスナーとの結合、前記第４面ファスナーと前記第１面ファスナーとの結合、及び、前記第２面ファスナーと前記第１面ファスナーとの結合を通じて、前記本底の前記上面上に着脱自在に取付けられており、前記甲ベルトの内の前記左端側部分及び前記右端側部分の各々は、共に、前記本底の前記上面及び前記中底の前記下面によってサンドイッチされた状態にあることを特徴とする。
【手続補正２】
【補正対象書類名】特許請求の範囲
【補正対象項目名】全文
【補正方法】変更
【補正の内容】
【特許請求の範囲】
【請求項１】
地面接触面である底面に対向する上面上に結合された第１面ファスナーを有する本底と、
前記本底の前記上面に対応する下面上に結合された第２面ファスナーを有する中底と、
アッパーと
を備えており、
前記アッパーは、
表面及び前記表面に対向する裏面を備え、前記表面の内で上面視に於いて短手方向に延在する左端側部分及び右端側部分のそれぞれの表面部分に直接的に結合された第３面ファスナー及び第４面ファスナーを有すると共に、前記裏面の内で前記表面の前記左端側部分及び前記右端側部分のそれぞれに対応する部分の裏面部分に直接的に結合された第５面ファスナー及び第６面ファスナーを有する甲ベルト
を有しており、
前記甲ベルトの前記裏面は、前記第５面ファスナーと前記第２面ファスナーとの結合及び前記第６面ファスナーと前記第２面ファスナーとの結合を通じて、前記中底の前記下面に着脱自在に直接的に結合しており、且つ、
前記甲ベルトの前記表面及び前記中底の前記下面は、共に、前記第３面ファスナーと前記第１面ファスナーとの結合、前記第４面ファスナーと前記第１面ファスナーとの結合、及び、前記第２面ファスナーと前記第１面ファスナーとの結合を通じて、前記本底の前記上面上に着脱自在に取付けられており、
前記甲ベルトの内の前記左端側部分及び前記右端側部分の各々は、共に、前記本底の前記上面及び前記中底の前記下面によってサンドイッチされた状態にある
ことを特徴とする、履物。
【請求項２】
請求項１に記載の前記履物の前記本底、前記中底及び前記甲ベルトの内の一つに該当する
ことを特徴とする、履物用部品。
【請求項３】
本底及び中底より成る靴底、並びに、前記本底と前記中底間に配設される甲ベルトを有するアッパーを備えており、
前記本底、前記中底、及び、前記甲ベルトの全てが個別の履物用部品に分離可能となる様に、且つ、前記甲ベルトの内の左端側部分及び右端側部分の各々は、共に、前記本底の上面及び前記中底の下面によってサンドイッチされた状態にある様に、
前記本底、前記中底、及び、前記甲ベルトは面ファスナーを介して着脱自在に一体化されている
ことを特徴とする、履物。